(57)【特許請求の範囲】
【請求項１】
任意の形状が加工された複数の板状体を所定の順序で積層することにより任意の構造を実現する積層構造体であって、前記所定の順序で積層したときのみ互いに嵌合する凹部と凸部からなる挿し込み構造を有し、
前記挿し込み構造は、所定の順序で積層されたｎ枚の前記板状体を、その積層順に１枚目、・・ｍ枚目・・、ｎ枚目の板状体としたとき（ｍ、ｎは整数、１＜ｍ＜ｎ、３≦ｎ）、１枚目の板状体は、２枚目の板状体側に開口した第１凹部を有し、
ｍ枚目の板状体は、（ｍ−１）枚目の板状体の方向に突出し、前記（ｍ−１）枚目の板状体が有する第（ｍ−１）凹部に嵌合する第ｍ凸部を有するとともに、前記第ｍ凸部の内部がくり貫かれてなる（ｍ＋１）枚目の板状体側に開口した第ｍ凹部を有し、
ｎ枚目の板状体は、（ｎ−１）枚目の板状体の方向に突出し、前記（ｎ−１）枚目の板状体が有する第（ｎ−１）凹部に嵌合する第ｎ凸部を有するものであり、
前記第ｍ凸部の高さ寸法をＡｍとし、前記第ｍ凹部内部の深さ寸法をＢｍとしたとき、
Ａｍ＜Ｂｍ−１＜Ａｍ＋１＜Ｂｍ
の関係が成り立つことを特徴とする積層構造体。
【請求項２】
請求項１に記載の積層構造体であって、前記１枚目の板状体は、前記２枚目の板状体と反対の方向に突出した第１凸部を有し、前記第１凹部は、前記第１凸部の内部がくり貫かれてなることを特徴とする積層構造体。
【請求項３】
請求項１に記載の積層構造体であって、前記挿し込み構造は複数設けられ、それら複数の挿し込み構造は前記凸部の突出方向が逆向きのものを含むことを特徴とする積層構造体。
【請求項４】
請求項１に記載の積層構造体であって、前記各凸部は筒状体で構成され、前記筒状体は、その突出方向側の端部を塞ぐ頂部を有することを特徴とする積層構造体。
【請求項５】
請求項１に記載の積層構造体であって、前記各凸部は筒状体で構成され、前記筒状体は、その両端部が貫通していることを特徴とする積層構造体。
【請求項６】
請求項１に記載の積層構造体であって、前記各凸部は筒状体で構成され、そのうち前記第ｍ凸部は、前記筒状体の両端部が貫通しており、また、前記第ｎ凸部は、前記筒状体の突出方向側の端部を塞ぐ頂部を有し、この頂部が前記１枚目の板状体表面と同じ面位置であることを特徴とする積層構造体。
【請求項７】
請求項１〜請求項６のいずれか一項に記載の積層構造体であって、前記複数の板状体を所定の順序で積層することにより、任意の中空構造を実現することを特徴とする積層構造体。 
【発明の詳細な説明】
【技術分野】
【０００１】
本発明は、所定の順序で積層することにより任意の中空構造を実現し、マイクロ波帯やミリ波帯のアンテナや導波管、車載用電波レーダ等に用いられる積層構造体に関する。
【背景技術】
【０００２】
近年、任意の形状が加工された複数の板状体やブロックを所定の順序で積層することにより任意の中空構造を構成し、切削加工では困難な高精度な加工を実現した中空積層構造体が開発されている。このような中空積層構造体は、マイクロ波帯やミリ波帯のアンテナや導波管、または車載用電波レーダとして用いられる。
【０００３】
特許文献１では、複数の板状体を積層し、所定の導波管路形状を形成した導波管および導波管ダイプレクサが提示されている。この例では、複数の板状体に位置合わせ用マーカがそれぞれ設けられ、そのマーカに基づいて板の裏表を確認しながら積層が行われる。また、各板状体の同じ位置に貫通する位置決め孔が形成されており、すべての板状体を積層した状態で位置決めピンが挿入され、これらの位置決め孔と位置決めピンにより相互間の位置決めが行われる。
【先行技術文献】
【特許文献】
【０００４】
【特許文献１】特開２００３−８７００９号公報
【発明の概要】
【発明が解決しようとする課題】
【０００５】
特許文献１で提示された積層構造体では、位置合わせ用マーカによる位置合わせが正しく行われなかった場合でも、正しく行われた場合と外観上はほぼ同じである。このため、各板状体の積層順序や裏表方向、板状体面内における上下左右方向の誤り、または積層される板状体の重複または抜けがあった場合でも、外観からは容易に判断できず、良品と不良品の分別が困難であった。
【０００６】
また、特許文献１では、各板状体の裏表方向に誤りがあった場合、位置決め孔が貫通しないため位置決めピンを挿入できないことから、不良品であることは判断できる。しかし、位置決め孔は各板状体の同じ位置に形成されているため、位置決め孔に基づいて各板状体の積層順序の確認を行うことはできない。特に、積層される板状体の板厚が全て同じ場合には、積層順序の確認は困難であり、特性試験または検査の段階まで不良品を抽出できないという問題があった。
【０００７】
本発明は、上記のような課題を解決するためになされたものであり、各板状体の積層順序、裏表方向、板状体面内における上下左右方向、および積層される板状体の重複や抜けを容易に確認でき、それらに起因する不良品を容易且つ迅速に抽出することが可能な積層構造体を提供することを目的とする。
【課題を解決するための手段】
【０００８】
本発明に係る積層構造体は、任意の形状が加工された複数の板状体を所定の順序で積層することにより任意の構造を実現する積層構造体であって、所定の順序で積層したときのみ互いに嵌合する凹部と凸部からなる挿し込み構造を有し、挿し込み構造は、所定の順序で積層されたｎ枚の板状体を、その積層順に１枚目、・・ｍ枚目・・、ｎ枚目の板状体としたとき（ｍ、ｎは整数、１＜ｍ＜ｎ、３≦ｎ）、１枚目の板状体は、２枚目の板状体側に開口した第１凹部を有し、ｍ枚目の板状体は、（ｍ−１）枚目の板状体の方向に突出し、（ｍ−１）枚目の板状体が有する第（ｍ−１）凹部に嵌合する第ｍ凸部を有するとともに、第ｍ凸部の内部がくり貫かれてなる（ｍ＋１）枚目の板状体側に開口した第ｍ凹部を有し、ｎ枚目の板状体は、（ｎ−１）枚目の板状体の方向に突出し、（ｎ−１）枚目の板状体が有する第（ｎ−１）凹部に嵌合する第ｎ凸部を有するものであり、第ｍ凸部の高さ寸法をＡｍとし、第ｍ凹部内部の深さ寸法をＢｍとしたとき、Ａｍ＜Ｂｍ−１＜Ａｍ＋１＜Ｂｍの関係が成り立つものである。
【発明の効果】
【０００９】
本発明によれば、所定の順序で積層したときのみ互いに嵌合する凸部と凹部からなる挿し込み構造を有することにより、各板状体の積層順序、裏表方向、板状体面内における上下左右方向、および積層される板状体の重複や抜けを容易に確認でき、それらに起因する不良品を容易且つ迅速に抽出することが可能な積層構造体が得られる。
【図面の簡単な説明】
【００１０】
【図１】本発明の実施の形態１に係る中空積層構造体を示す全体図、分解図および断面図である。
【図２】本発明の実施の形態１に係る中空積層構造体を示す断面図および全体図である。
【図３】本発明の実施の形態２に係る中空積層構造体を示す全体図および断面図である。
【図４】本発明の実施の形態３に係る中空積層構造体を示す全体図および断面図である。
【図５】本発明の実施の形態４に係る中空積層構造体を示す全体図および断面図である。
【図６】本発明の実施の形態４に係る中空積層構造体を示す断面図である。
【図７】本発明の実施の形態５に係る中空積層構造体を示す断面図である。
【図８】本発明の実施の形態６に係る中空積層構造体を示す断面図である。
【図９】本発明の実施の形態７に係る中空積層構造体を示す全体図および断面図である。
【図１０】本発明の実施の形態７に係る中空積層構造体を示す断面図である。
【図１１】本発明の実施の形態７に係る中空積層構造体を示す断面図である。
【図１２】本発明の実施の形態８に係る中空積層構造体を示す断面図である。
【図１３】本発明の実施の形態９に係る中空積層構造体を示す断面図である。
【図１４】本発明の実施の形態１０に係る中空積層構造体を示す断面図である。
【図１５】本発明の実施の形態１１に係る中空積層構造体を示す全体図および断面図である。
【発明を実施するための形態】
【００１１】
実施の形態１．
以下、本発明の実施の形態１について図面に基づいて説明する。図１は、本発明の実施の形態１に係る中空積層構造体を示す図であり、図１（ａ）は全体図、図１（ｂ）は分解図、図１（ｃ）は図１（ａ）のＡ−Ａ線に沿った断面を矢印方向から見た図である。なお、図中、同一、相当部分には同一符号を付している。
【００１２】
本実施の形態１に係る中空積層構造体１００は、任意の形状が加工された複数の板状体を所定の順序で積層することにより、任意の中空構造（図示せず）を実現するものである。また、その所定の順序で積層したときのみ互いに嵌合する穴部と突起部からなる嵌め込み構造Ａを有する。嵌め込み構造Ａを構成する突起部および穴部は、各板状体の中空構造を実現するための形状に影響がない箇所に設けられている。
【００１３】
中空積層構造体１００においては、各板状体の積層順序、裏表方向、または板状体面内における上下左右方向に誤りがあった場合、あるいは積層される板状体に重複や抜けがあった場合、任意の中空構造が実現できないため不良品となる。そこで、所定の順序で積層したときのみ互いに嵌合する穴部と突起部からなる嵌め込み構造Ａを設けることにより、各板状体の積層順序、裏表方向、板状体面内における上下左右方向、および積層される板状体の重複や抜けを容易に確認でき、それらに起因する不良品を容易且つ迅速に抽出できるようにしたものである。
【００１４】
以下に、嵌め込み構造Ａについて詳細に説明する。嵌め込み構造Ａは、所定の順序で積層されたｎ枚の板状体を、その積層順に１枚目、・・ｍ枚目・・、ｎ枚目の板状体としたとき（ｍ、ｎは整数、１＜ｍ＜ｎ、３≦ｎ）、中空積層構造体の最表面となる１枚目の板状体は、２枚目の板状体側に開口した第１穴部を有する。また、ｍ枚目の板状体は、（ｍ−１）枚目の板状体の方向に突出し、（ｍ−１）枚目の板状体が有する第（ｍ−１）穴部に嵌合する第ｍ突起部を有するとともに、第ｍ突起部とは別の箇所に（ｍ＋１）枚目の板状体側に開口した第ｍ穴部を有する。さらに、ｎ枚目の板状体は、（ｎ−１）枚目の板状体の方向に突出し、（ｎ−１）枚目の板状体が有する第（ｎ−１）穴部に嵌合する第ｎ突起部を有する。
【００１５】
中空積層構造体１００における嵌め込み構造Ａでは、各穴部は、その穴部を有する板状体を積層方向に貫通しており、各穴部の深さ寸法は各板状体の板厚に等しい。また、各突起部は筒状体で構成され、これらの筒状体はその突出方向側の端部を塞ぐ頂部を有している。
【００１６】
具体的には、図１（ｃ）に示すように、１枚目の板状体である第１板状体１は、第１板状体１を貫通する第１穴部１ｂを有する。なお、図１では、第１板状体１は第１突起部１ａを有しているが、第１突起部１ａは嵌め込み構造Ａには直接関係していないため、無くてもよい。しかし、第１突起部１ａの突出方向によって第１板状体１の表裏方向を確認できる。
【００１７】
２枚目の板状体である第２板状体２は、第１板状体１の方向に突出し、第１板状体１が有する第１穴部１ｂに嵌合する第２突起部２ａを有するとともに、第２突起部２ａとは別の箇所に第２板状体２を貫通する第２穴部２ｂを有する。また、３枚目の板状体である第３板状体３は、第２板状体２の方向に突出し、第２板状体２が有する第２穴部２ｂに嵌合する第３突起部３ａを有するとともに、第３突起部３ａとは別の箇所に第３板状体３を貫通する第３穴部３ｂを有する。
【００１８】
さらに、４枚目の板状体である第４板状体４は、第３板状体３の方向に突出し、第３板状体３が有する第３穴部３ｂに嵌合する第４突起部４ａを有する。なお、図１では、第４板状体４は第４穴部４ｂを有しているが、第４穴部４ｂは嵌め込み構造Ａには直接関係していないため、無くてもよい。
【００１９】
嵌め込み構造Ａの具体的な寸法として、図１に示す例では、第１板状体１および第２板状体２の板厚をそれぞれ５ｍｍ、第３板状体３の板厚を４ｍｍ、第４板状体４の板厚を２ｍｍとし、互いに嵌合する突起部と穴部の隙間を０．５ｍｍとしたとき、各穴部１ｂ、２ｂ、３ｂ、４ｂの直径は５ｍｍ、各突起部１ａ、２ａ、３ａ、４ａの直径は４．５ｍｍと設定することができる。
【００２０】
また、各突起部の高さ寸法は、その突起部が嵌合する穴部の深さ寸法、すなわち突出方向に隣り合う板状体の板厚と等しく設定することができる。図１に示す例では、中空積層構造体１００の最表面となる第１板状体１の第１突起部１ａの高さ寸法を第１板状体１の板厚と同じ５ｍｍとし、第２突起部２ａの高さ寸法を第１板状体１の板厚と同じ５ｍｍ、第３突起部３ａの高さ寸法を第２板状体２の板厚と同じ５ｍｍ、第４突起部４ａの高さ寸法を第３板状体３の板厚と同じ４ｍｍと設定することができる。
【００２１】
中空積層構造体１００における嵌め込み構造Ａによれば、各突起部の突出方向によって各板状体の表裏方向を確認できる。例えば図１に示すように、突起部が突出している面を各板状体の表面と定義することができる。また、各突起部の位置によって、各板状体の面内における上下左右方向を確認できる。例えば図１（ｂ）では、中空積層構造体１００の四つの角部のうちの一つに全ての突起部が配置されているが、いずれかの突起部がその他の角部に配置されていた場合は、その突起部を有する板状体は面内における上下左右方向が正しくないと判断できる。
【００２２】
さらに、各板状体の突起部と穴部の位置関係により、中空積層構造体１００における各板状体の積層順序が確認できるとともに、板状体の重複や抜けを抽出できる。例えば図２（ａ）は、同じ板状体（第２板状体２）が２枚重複している状態を示している。この例では、それぞれの第２板状体２が有する第２突起部２ａの位置が重なるため積層できない。また、図２（ａ）において、上側の第２板状体２の第２穴部２ｂに下側の第２板状体２の第２突起部２ａを嵌合させると、全体的な外形がずれてしまい、不良品であることがわかる。
【００２３】
また、図２（ｂ）は、第３板状体３の上に第１板状体１を積層し、第２板状体２が抜けた状態を示している。このように、第１板状体１の第１穴部１ｂに第３板状体３の第３突起部３ａを嵌合させると、全体的な外形がずれてしまい、不良品であることがわかる。また、第１板状体１と第３板状体３の外形を揃えると、第１板状体１の第１穴部１ｂと第３板状体３の第３突起部３ａの位置がずれるため嵌合しない。また、突起部の高さ寸法よりも突起部を嵌合した穴部の深さ寸法が小さい場合も、突起部が板状体表面から突出するため不良品であることがわかる。
【００２４】
なお、本実施の形態１では、嵌め込み構造Ａの形状例として、円柱状の筒状体である突起部を用いたが、嵌め込み構造Ａの形状はこれに限定されるものではなく、四角柱状や多角柱状の筒状体、または曲げと切欠き等の構造でもよい。また、嵌め込み構造Ａを有する各板状体は、プレス加工、切削加工、エッチングおよび射出成形のいずれの手段により作製されたものであってもよい。また、図２（ｃ）に示すように、突起部に頂部を設けなくてもよい。
【００２５】
以上のように、本実施の形態１に係る中空積層構造体１００によれば、所定の順序で積層したときのみ互いに嵌合する穴部と突起部からなる嵌め込み構造Ａを有することにより、各板状体の積層順序、裏表方向、板状体面内における上下左右方向、および積層される板状体の重複や抜けを容易に確認でき、それらに起因する不良品を容易且つ迅速に抽出することが可能である。従って、この中空積層構造体１００をアンテナ、導波管、車載用電波レーダ等に用いることにより、組み立て作業の効率化および歩留まり向上等の効果を奏する。
【００２６】
実施の形態２．
図３は、本発明の実施の形態２に係る中空積層構造体を示す図であり、図３（ａ）は全体図、図３（ｂ）は図３（ａ）のＢ−Ｂ線に沿った断面を矢印方向から見た図、図３（ｃ）は、積層される板状体の抜けがある状態を示す図である。なお、図中、同一、相当部分には同一符号を付している。
【００２７】
本実施の形態２に係る中空積層構造体１０１が有する嵌め込み構造Ａは、上記実施の形態１で説明したものと基本的な構成は同じであるので、詳細な説明は省略する。ただし、中空積層構造体１０１は、嵌め込み構造Ａには直接関係していない第１板状体１１の第１突起部と、第４板状体１４の第４穴部を有していない。さらに、第２突起部１２ａは、その高さ寸法が、第１穴部１１ｂの深さ寸法よりも小さく設定されている。これにより、中空積層構造体１０１の最表面となる第１板状体１１の表面からは何も突出していない。
【００２８】
具体的には、図３（ｂ）に示すように、第１板状体１１は、第１板状体１１を貫通する第１穴部１１ｂを有する。第２板状体１２は、第１板状体１１の方向に突出し、第１板状体１１が有する第１穴部１１ｂに嵌合する第２突起部１２ａを有するとともに、第２突起部１２ａとは別の箇所に第２板状体１２を貫通する第２穴部１２ｂを有する。
【００２９】
また、第３板状体１３は、第２板状体１２の方向に突出し、第２板状体１２が有する第２穴部１２ｂに嵌合する第３突起部１３ａを有するとともに、第３突起部１３ａとは別の箇所に第３板状体１３を貫通する第３穴部１３ｂを有する。さらに、第４板状体１４は、第３板状体１３の方向に突出し、第３板状体１３が有する第３穴部１３ｂに嵌合する第４突起部１４ａを有する。
【００３０】
本実施の形態２における嵌め込み構造Ａにおいても、上記実施の形態１と同様に、各板状体の積層順序、裏表方向、板状体面内における上下左右方向、および積層される板状体の重複や抜けを容易に確認できる。なお、本実施の形態２では、図３（ｃ）に示すように、第１板状体１１が抜けた状態のとき、中空積層構造体１０１の最表面に第２板状体１２の第２突起部１２ａが突出しているため、不良品であることがわかる。
【００３１】
本実施の形態２によれば、上記実施の形態１と同様の効果に加え、中空積層構造体１０１の最表面から突起部が突出していないため、アダプタ等の部品に組み付け易く、アンテナとして使用する場合には電波特性に影響を与えないという効果を奏する。
【００３２】
実施の形態３．
図４は、本発明の実施の形態３に係る中空積層構造体を示す図であり、図４（ａ）は全体図、図４（ｂ）は図４（ａ）のＣ−Ｃ線に沿った断面を矢印方向から見た図である。なお、図中、同一、相当部分には同一符号を付している。
【００３３】
本実施の形態３に係る中空積層構造体１０２が有する嵌め込み構造Ａは、上記実施の形態１で説明したものと基本的な構成は同じであるので、詳細な説明は省略する。ただし、中空積層構造体１０２は、上記実施の形態２に係る中空積層構造体１０１と同様に、第１板状体の第１突起部と、第４板状体の第４穴部を有していない。さらに、第２突起部２２ａは、その高さ寸法が、第１穴部２１ｂの深さ寸法と等しく設定されている。これにより、中空積層構造体１０２の最表面となる第１板状体２１の表面からは何も突出しておらず、第２突起部２２ａの頂部が中空積層構造体１０２の最表面と同じ面位置にある。
【００３４】
具体的には、図４（ｂ）に示すように、第１板状体２１は、第１板状体２１を貫通する第１穴部２１ｂを有する。第２板状体２２は、第１板状体２１の方向に突出し、第１板状体２１が有する第１穴部２１ｂに嵌合する第２突起部２２ａを有するとともに、第２突起部２２ａとは別の箇所に第２板状体２２を貫通する第２穴部２２ｂを有する。
【００３５】
また、第３板状体２３は、第２板状体２２の方向に突出し、第２板状体２２が有する第２穴部２２ｂに嵌合する第３突起部２３ａを有するとともに、第３突起部２３ａとは別の箇所に第３板状体２３を貫通する第３穴部２３ｂを有する。さらに、第４板状体２４は、第３板状体２３の方向に突出し、第３板状体２３が有する第３穴部２３ｂに嵌合する第４突起部２４ａを有する。
【００３６】
本実施の形態３によれば、上記実施の形態１と同様の効果に加え、中空積層構造体１０２の最表面から突起部が突出しておらず、最表面に穴部もないため、アダプタ等の部品に組み付け易く、アンテナとして使用する場合には、上記実施の形態２に係る中空積層構造体１０１よりも電波特性に影響を与えないという効果を奏する。
【００３７】
実施の形態４．
図５は、本発明の実施の形態４に係る中空積層構造体を示す図であり、図５（ａ）は全体図、図５（ｂ）は図５（ａ）のＤ−Ｄ線に沿った断面を矢印方向から見た図である。なお、図中、同一、相当部分には同一符号を付している。
【００３８】
本実施の形態４に係る中空積層構造体１０３は、任意の形状が加工された複数の板状体を所定の順序で積層することにより、任意の中空構造（図示せず）を実現するものである。また、その所定の順序で積層したときのみ互いに嵌合する穴部と突起部からなる嵌め込み構造Ｂを有する。嵌め込み構造Ｂを構成する突起部および穴部は、各板状体の中空構造を実現するための形状に影響がない箇所に設けられている。
【００３９】
中空積層構造体１０３においては、各板状体の積層順序、裏表方向、または板状体面内における上下左右方向に誤りがあった場合、あるいは積層される板状体に重複や抜けがあった場合、任意の中空構造が実現できないため不良品となる。そこで、所定の順序で積層したときのみ互いに嵌合する穴部と突起部からなる嵌め込み構造Ｂを設けることにより、各板状体の積層順序、裏表方向、板状体面内における上下左右方向、および積層される板状体の重複や抜けを容易に確認でき、それらに起因する不良品を容易且つ迅速に抽出できるようにしたものである。
【００４０】
以下に、嵌め込み構造Ｂについて詳細に説明する。嵌め込み構造Ｂは、所定の順序で積層されたｎ枚の板状体を、その積層順に１枚目、・・ｍ枚目・・、ｎ枚目の板状体としたとき（ｍ、ｎは整数、１＜ｍ＜ｎ、３≦ｎ）、中空積層構造体の最表面となる１枚目の板状体は、積層方向に貫通した（ｎ−１）個の第１穴部を有する。
【００４１】
また、ｍ枚目の板状体は、（ｍ−１）枚目の板状体の方向に突出し、（ｍ−１）枚目の板状体が有する積層方向に貫通した第（ｍ−１）穴部のうちの１つに嵌合する第ｍ突起部を有するとともに、第ｍ突起部とは別の箇所で且つ第（ｍ−１）穴部と重なる箇所に、積層方向に貫通した（ｎ−ｍ）個の第ｍ穴部を有する。さらに、ｎ枚目の板状体は、（ｎ−１）枚目の板状体の方向に突出し、（ｎ−１）枚目の板状体が有する積層方向に貫通した第（ｎ−１）穴部に嵌合する第ｎ突起部を有する。
【００４２】
中空積層構造体１０３における嵌め込み構造Ｂでは、各突起部は筒状体で構成され、これらの筒状体は、その突出方向側の端部を塞ぐ頂部を有している。また、各穴部は、その穴部を有する板状体を積層方向に貫通しており、各穴部の深さ寸法は各板状体の板厚に等しい。さらに、第ｍ穴部は、第１穴部に連通しており、第ｍ突起部は、第（ｍ−１）穴部とこれに連通する第１穴部に嵌合し、且つ第１穴部から突出する高さ寸法に設定されている。
【００４３】
具体的には、図５（ｂ）に示すように、１枚目の板状体である第１板状体３１は、積層方向に貫通した３個の第１穴部３１１ｂ、３１２ｂ、３１３ｂを有する。なお、図５（ｂ）では、第１板状体３１は第１突起部３１ａを有しているが、この第１突起部３１ａは嵌め込み構造Ｂには直接関係していないため、無くてもよい。しかし、第１突起部３１ａの突出方向によって第１板状体３１の表裏方向を確認できる。
【００４４】
また、２枚目の板状体である第２板状体３２は、第１板状体３１の方向に突出し、第１板状体３１が有する積層方向に貫通した第１穴部のうちの１つである第１穴部３１１ｂに嵌合する第２突起部３２ａを有するとともに、第２突起部３２ａとは別の箇所で且つ第１穴部３１２ｂ、３１３ｂと重なる箇所に、積層方向に貫通した２個の第２穴部３２２ｂ、３２３ｂを有する。
【００４５】
また、３枚目の板状体である第３板状体３３は、第２板状体３２の方向に突出し、第２板状体３２が有する積層方向に貫通した第２穴部のうちの１つである第２穴部３２２ｂと、これに重なる第１穴部３１２ｂに嵌合する第３突起部３３ａを有するとともに、第３突起部３３ａとは別の箇所で且つ第２穴部３２３ｂと重なる箇所に、積層方向に貫通した１個の第３穴部３３３ｂを有する。さらに、４枚目の板状体である第４板状体３４は、第３板状体３３の方向に突出し、第３板状体３３が有する積層方向に貫通した第３穴部３３３ｂと、これに重なる第２穴部３２３ｂと第１穴部３１３ｂに嵌合する第４突起部３４ａを有する。
【００４６】
嵌め込み構造Ｂの具体的な寸法として、図５に示す例では、第１板状体３１および第２板状体３２の厚みをそれぞれ５ｍｍ、第３板状体３３の厚みを４ｍｍ、第４板状体３４の厚みを２ｍｍとし、互いに嵌合する突起部と穴部の周面の隙間を０．５ｍｍとしたとき、各穴部３１１ｂ、３１２ｂ、３１３ｂ、３２２ｂ、３２３ｂ、３３３ｂの直径は５ｍｍ、各突起部３１ａ、３２ａ、３３ａ、３４ａの直径は４．５ｍｍと設定することができる。
【００４７】
また、各突起部の高さ寸法は、その突起部が嵌合する全ての連通した穴部の深さ寸法の合計よりも大きく設定される。例えば、第１板状体３１の第１突起部３１ａの高さ寸法を第１板状体３１の板厚と同じ５ｍｍとし、第２突起部３２ａの高さ寸法を第１板状体３１の板厚よりも５ｍｍ大きい１０ｍｍ、第３突起部３３ａの高さ寸法を第１板状体３１と第２板状体３２の板厚の合計１０ｍｍよりも５ｍｍ大きい１５ｍｍ、第４突起部３４ａの高さ寸法を第１板状体３１、第２板状体３２および第３板状体３３の板厚の合計１４ｍｍよりも５ｍｍ大きい１９ｍｍと設定することができる。これにより、全ての突起部３１ａ、３２ａ、３３ａ、３４ａは、中空積層構造体１０３の最表面となる第１板状体３１表面からそれぞれ５ｍｍ突出する。
【００４８】
中空積層構造体１０３における嵌め込み構造Ｂによれば、各突起部の突出方向によって各板状体の表裏方向を確認できる。例えば図５に示すように、突起部が突出している面を各板状体の表面と定義することができる。また、突起部の位置によって、各板状体の面内における上下左右方向を確認できる。例えば図５（ａ）では、中空積層構造体１０３の四つの角部のうちの一つに全ての突起部が配置されているが、いずれかの突起部がその他の角部に配置されていた場合、その突起部を有する板状体は面内における上下左右方向が正しくないと判断できる。
【００４９】
さらに、各板状体の突起部と穴部の位置関係により、中空積層構造体１０３における各板状体の積層順序が確認できるとともに、板状体の重複や抜けを抽出できる。例えば図６（ａ）は、第１板状体３１が抜けた状態を示している。第１板状体３１が抜けた場合、中空積層構造体の表面に突起部が３個しか突出しておらず、且つ表面に突出している突起部の高さ寸法が正しく積層された場合よりも大きいので不良品であることがわかる。
【００５０】
また、図６（ｂ）は、第４板状体３４が抜けた状態を示している。第４板状体３４が抜けた場合、中空積層構造体の表面に突起部が３個しか突出しておらず、また、中空積層構造体の積層方向に貫通した穴ができている。なお、第２板状体３２、第３板状体３３が抜けた場合も、中空積層構造体の表面に穴ができる。このように、板状体の抜けがある場合、中空積層構造体表面の突起部の個数や穴の存在で積層抜けが抽出でき、それらの位置関係でどの板状体が抜けているのか判断できる。さらに、同じ板状体が重複した場合には、それぞれの板状体が有する突起部の位置が重なり積層できないため、不良品であることがわかる。
【００５１】
なお、本実施の形態４では、嵌め込み構造Ｂの形状例として、円柱状の筒状体である突起部を用いたが、嵌め込み構造Ｂの形状はこれに限定されるものではなく、四角柱状や多角柱状の筒状体、または曲げと切欠き等の構造でもよい。また、筒状体には、突出方向側の端部を塞ぐ頂部を設けなくてもよい。さらに、嵌め込み構造Ｂを有する各板状体は、プレス加工、切削加工、エッチングおよび射出成形のいずれの手段により作製されたものであってもよい。
【００５２】
以上のように、本実施の形態４に係る中空積層構造体１０３によれば、所定の順序で積層したときのみ互いに嵌合する穴部と突起部からなる嵌め込み構造Ｂを有することにより、各板状体の積層順序、裏表方向、板状体面内における上下左右方向、および積層される板状体の重複や抜けを容易に確認でき、それらに起因する不良品を容易且つ迅速に抽出することが可能である。従って、この中空積層構造体１０３をアンテナ、導波管、車載用電波レーダ等に用いることにより、組み立て作業の効率化および歩留まり向上等の効果を奏する。
【００５３】
実施の形態５．
図７は、本発明の実施の形態５に係る中空積層構造体を示す図である。本実施の形態５に係る中空積層構造体が有する嵌め込み構造Ｂは、上記実施の形態４で説明したものと基本的な構成は同じであるので、詳細な説明は省略する。ただし、本実施の形態５に係る中空積層構造体は、嵌め込み構造Ｂには直接関係していない第１板状体４１の第１突起部を有していない。
【００５４】
また、本実施の形態５に係る中空積層構造体の嵌め込み構造Ｂは、所定の順序で積層されたｎ枚の板状体を、その積層順に１枚目、・・ｍ枚目・・、ｎ枚目の板状体としたとき（ｍ、ｎは整数、１＜ｍ＜ｎ、３≦ｎ）、第ｍ穴部は、第１穴部に連通している。さらに、第ｍ突起部は、その高さ寸法が、第（ｍ−１）穴部の深さ寸法よりも小さく設定される。これにより、中空積層構造体の最表面となる第１板状体４１の表面からは何も突出していない。
【００５５】
具体的には、図７に示すように、第１板状体４１は、積層方向に貫通した３個の第１穴部４１１ｂ、４１２ｂ、４１３ｂを有する。第２板状体４２は、第１板状体４１の方向に突出し、第１板状体４１が有する積層方向に貫通した第１穴部のうちの１つである第１穴部４１１ｂに嵌合する第２突起部４２ａを有するとともに、第２突起部４２ａとは別の箇所で且つ第１穴部４１２ｂ、４１３ｂと重なる箇所に、積層方向に貫通した２個の第２穴部４２２ｂ、４２３ｂを有する。
【００５６】
また、第３板状体４３は、第２板状体４２の方向に突出し、第２板状体４２が有する積層方向に貫通した第２穴部のうちの１つである第２穴部４２２ｂに嵌合する第３突起部４３ａを有するとともに、第３突起部４３ａとは別の箇所で且つ第２穴部４２３ｂと重なる箇所に、積層方向に貫通した１個の第３穴部４３３ｂを有する。さらに、第４板状体４４は、第３板状体４３の方向に突出し、第３板状体４３が有する積層方向に貫通した第３穴部４３３ｂに嵌合する第４突起部４４ａを有する。
【００５７】
本実施の形態５によれば、上記実施の形態４と同様の効果に加え、中空積層構造体の最表面から突起部が突出していないため、アダプタ等の部品に組み付け易く、アンテナとして使用する場合には電波特性に影響を与えないという効果を奏する。
【００５８】
実施の形態６．
図８は、本発明の実施の形態６に係る中空積層構造体を示す図である。本実施の形態６に係る中空積層構造体が有する嵌め込み構造Ｂは、上記実施の形態４で説明したものと基本的な構成は同じであるので、詳細な説明は省略する。ただし、本実施の形態６に係る中空積層構造体は、嵌め込み構造Ｂには直接関係していない第１板状体５１の第１突起部を有していない。
【００５９】
また、本実施の形態６に係る中空積層構造体の嵌め込み構造Ｂは、所定の順序で積層されたｎ枚の板状体を、その積層順に１枚目、・・ｍ枚目・・、ｎ枚目の板状体としたとき（ｍ、ｎは整数、１＜ｍ＜ｎ、３≦ｎ）、第ｍ穴部は、第１穴部に連通している。さらに、第ｍ突起部は、第（ｍ−１）穴部に連通する第１穴部に嵌合し、且つ第１穴部から突出しない高さ寸法に設定される。
【００６０】
図８に示す例では、各突起部の高さ寸法は、その突起部が嵌合する全ての連通した穴部の深さ寸法の合計と等しく設定されている。これにより、中空積層構造体の最表面となる第１板状体５１の表面からは何も突出しておらず、第２突起部５２ａ、第３突起部５３ａおよび第４突起部５４ａの頂部は、中空積層構造体の最表面である第１板状体５１表面と同じ面位置にある。
【００６１】
具体的には、図８に示すように、第１板状体５１は、積層方向に貫通した３個の第１穴部５１１ｂ、５１２ｂ、５１３ｂを有する。第２板状体５２は、第１板状体５１の方向に突出し、第１板状体５１が有する積層方向に貫通した第１穴部のうちの１つである第１穴部５１１ｂに嵌合する第２突起部５２ａを有するとともに、第２突起部５２ａとは別の箇所で且つ第１穴部５１２ｂ、５１３ｂと重なる箇所に、積層方向に貫通した２個の第２穴部５２２ｂ、５２３ｂを有する。
【００６２】
また、第３板状体５３は、第２板状体５２の方向に突出し、第２板状体５２が有する積層方向に貫通した第２穴部のうちの１つである第２穴部５２２ｂとこれに重なる第１穴部５１２ｂに嵌合する第３突起部５３ａを有するとともに、第３突起部５３ａとは別の箇所で且つ第２穴部５２３ｂと重なる箇所に、積層方向に貫通した１個の第３穴部５３３ｂを有する。さらに、第４板状体５４は、第３板状体５３の方向に突出し、第３板状体５３が有する積層方向に貫通した第３穴部５３３ｂとこれに重なる第２穴部５２３ｂと第１穴部５１３ｂに嵌合する第４突起部５４ａを有する。
【００６３】
本実施の形態６によれば、上記実施の形態４と同様の効果に加え、中空積層構造体の最表面から突起部が突出しておらず、最表面に穴部もないため、アダプタ等の部品に組み付け易く、アンテナとして使用する場合には、上記実施の形態５に係る中空積層構造体よりも電波特性に影響を与えないという効果を奏する。
【００６４】
実施の形態７．
図９は、本発明の実施の形態７に係る中空積層構造体を示す図であり、図９（ａ）は全体図、図９（ｂ）は図９（ａ）のＥ−Ｅ線に沿った断面を矢印方向から見た図である。また、図１０は、本発明の実施の形態７における挿し込み構造の凹部と凸部の寸法を説明する図である。なお、図中、同一、相当部分には同一符号を付している。
【００６５】
本実施の形態７に係る中空積層構造体１０４は、任意の形状が加工された複数の板状体を所定の順序で積層することにより、任意の中空構造（図示せず）を実現するものである。また、その所定の順序で積層したときのみ互いに嵌合する凸部と凹部からなる挿し込み構造を有する。挿し込み構造を構成する凸部および凹部は、各板状体の中空構造を実現するための形状に影響がない箇所に設けられている。
【００６６】
中空積層構造体１０４においては、各板状体の積層順序、裏表方向、または板状体面内における上下左右方向に誤りがあった場合、あるいは積層される板状体に重複や抜けがあった場合、任意の中空構造が実現できないため不良品となる。そこで、所定の順序で積層したときのみ互いに嵌合する凸部と凹部からなる挿し込み構造を設けることにより、各板状体の積層順序、裏表方向、板状体面内における上下左右方向、および積層される板状体の重複や抜けを容易に確認でき、それらに起因する不良品を容易且つ迅速に抽出できるようにしたものである。
【００６７】
以下に、挿し込み構造について詳細に説明する。挿し込み構造は、所定の順序で積層されたｎ枚の板状体を、その積層順に１枚目、・・ｍ枚目・・、ｎ枚目の板状体としたとき（ｍ、ｎは整数、１＜ｍ＜ｎ、３≦ｎ）、中空積層構造体の最表面となる１枚目の板状体は、２枚目の板状体側に開口した第１凹部を有する。
【００６８】
また、ｍ枚目の板状体は、（ｍ−１）枚目の板状体の方向に突出し、（ｍ−１）枚目の板状体が有する第（ｍ−１）凹部に嵌合する第ｍ凸部を有するとともに、第ｍ凸部の内部がくり貫かれてなる（ｍ＋１）枚目の板状体側に開口した第ｍ凹部を有する。さらに、ｎ枚目の板状体は、（ｎ−１）枚目の板状体の方向に突出し、（ｎ−１）枚目の板状体が有する第（ｎ−１）凹部に嵌合する第ｎ凸部を有する。
【００６９】
中空積層構造体１０４における挿し込み構造では、１枚目の板状体は、２枚目の板状体と反対の方向に突出した第１凸部を有し、第１凹部は、第１凸部の内部がくり貫かれてなる。また、各凸部は筒状体で構成され、これらの筒状体は、その突出方向側の端部を塞ぐ頂部を有している。すなわち、各凹部の深さ寸法は、各凸部の高さ寸法と各板状体の板厚の合計から、各凸部の頂部の厚さ寸法を引いたものに等しい。
【００７０】
具体的には、図９（ｂ）に示すように、１枚目の板状体である第１板状体６１は、２枚目の板状体である第２板状体６２と反対の方向に突出した第１凸部６１ａと、第２板状体６２側に開口した第１凹部６１ｂを有している。この第１凹部６１ｂは、第１凸部６１ａの内部がくり貫かれてなるものである。また、第２板状体６２は、第１板状体６１の方向に突出し、第１板状体６１が有する第１凹部６１ｂに嵌合する第２凸部６２ａを有するとともに、第２凸部６２ａの内部がくり貫かれてなる第２凹部６２ｂを有している。第２凹部６２ｂは、３枚目の板状体である第３板状体６３側に開口している。
【００７１】
また、第３板状体６３は、第２板状体６２の方向に突出し、第２板状体６２が有する第２凹部６２ｂに嵌合する第３凸部６３ａを有するとともに、第３凸部６３ａの内部がくり貫かれてなる第３凹部６３ｂを有している。第３凹部６３ｂは、４枚目の板状体である第４板状体６４側に開口している。さらに、第４板状体６４は、第３板状体６３の方向に突出し、第３板状体６３が有する第３凹部６３ｂに嵌合する第４凸部６４ａを有する。なお、第４板状体６４は、第４凸部の内部がくり貫かれてなる第４凹部６４ｂを有しているが、この第４凹部６４ｂは挿し込み構造には直接関係していない。
【００７２】
中空積層構造体１０４における挿し込み構造の凹部と凸部の寸法の関係について、図１０を用いて説明する。挿し込み構造において、第ｍ凸部の高さ寸法をＡｍとし、第ｍ凹部内部の深さ寸法をＢｍとしたとき、Ａｍ＜Ｂｍ−１＜Ａｍ＋１＜Ｂｍの関係が成り立つ。これについて、以下に詳細に説明する。
【００７３】
第１板状体６１の第１凸部６１ａの高さ寸法Ａ１は任意の値とし、第（ｍ＋１）板状体の第（ｍ＋１）凸部の高さ寸法Ａｍ＋１は、第ｍ板状体の第ｍ凹部の深さ寸法Ｂｍより小さく（Ａｍ＋１＜Ｂｍ）、第（ｍ−１）板状体の第（ｍ−１）凹部の深さ寸法Ｂｍ−１は、第（ｍ＋１）板状体の第（ｍ＋１）凸部の高さ寸法Ａｍ＋１よりも小さく（Ｂｍ−１＜Ａｍ＋１）、第ｍ板状体の第ｍ凸部の高さ寸法Ａｍは、第（ｍ−１）板状体の第（ｍ−１）凹部の深さ寸法Ｂｍ−１よりも小さい（Ａｍ＜Ｂｍ−１）。従って、Ａｍ＜Ｂｍ−１＜Ａｍ＋１＜Ｂｍの関係が成り立つ。
【００７４】
具体的には、図１０において、第１板状体６１および第２板状体６２の板厚をそれぞれ３ｍｍ、第３板状体６３および第４板状体６４の板厚をそれぞれ６ｍｍとし、互いに嵌合する凸部の頂部と凹部の底部の間隔を０．５ｍｍ、各凸部の頂部の厚さ寸法を０．５ｍｍとしたとき、第１板状体６１の第１凸部６１ａの高さ寸法Ａ１は第１板状体６１の板厚と同じ３ｍｍ、第１板状体６１の第１凹部６１ｂの深さ寸法Ｂ１は、第１凸部６１ａの高さ寸法Ａ１と第１板状体６１の板厚３ｍｍの和から第１突起部６１ａ頂部の厚さ０．５ｍｍを引いた５．５ｍｍとなる。また、第２板状体６２の第２凸部６２ａの高さ寸法Ａ２は、第１板状体６１の第１凹部６１ｂの深さ寸法Ｂ１より０．５ｍｍ小さい５ｍｍ、第２板状体６２の第２凹部６２ｂの深さ寸法Ｂ２は、第２凸部６２ａの高さ寸法Ａ２と第２板状体６２の板厚３ｍｍの和から第２突起部６２ａ頂部の厚さ０．５ｍｍを引いた７．５ｍｍとなる。
【００７５】
同様に、第３板状体６３の第３凸部６３ａの高さ寸法Ａ３は、第２板状体６２の第２凹部６２ｂの深さ寸法Ｂ２より０．５ｍｍ小さい７ｍｍ、第３板状体６３の第３凹部６３ｂの深さ寸法Ｂ３は、第３凸部６３ａの高さ寸法Ａ３と第３板状体６３の板厚６ｍｍの和から第３突起部６３ａ頂部の厚さ０．５ｍｍを引いた１２．５ｍｍとなる。さらに、第４板状体６４の第４凸部６４ａの高さ寸法Ａ４は、第３板状体６３の第３凹部６３ｂの深さ寸法Ｂ３より０．５ｍｍ小さい１２ｍｍ、第４板状体６４の第４凹部６４ｂの深さ寸法Ｂ４は、第４凸部６４ａの高さ寸法Ａ４と第４板状体６４の板厚６ｍｍの和から第４突起部６４ａ頂部の厚さ０．５ｍｍを引いた１７．５ｍｍとなる。
【００７６】
中空積層構造体１０４における挿し込み構造によれば、各凸部の突出方向によって各板状体の表裏方向を確認できる。例えば図９に示すように、凸部が突出している面を各板状体の表面と定義することができる。また、各凸部の位置によって、各板状体の面内における上下左右方向を確認できる。例えば、図９（ａ）では、中空積層構造体１０４の四つの角部のうちの一つにすべての凸部が配置されているが、いずれかの凸部がその他の角部に配置されていた場合、その凸部を有する板状体は面内における上下左右方向が正しくないと判断できる。
【００７７】
さらに、各板状体の凸部の高さ寸法と凹部の深さ寸法の関係により、中空積層構造体１０４における各板状体の積層順序が確認できるとともに、板状体の重複や抜けを抽出できる。例えば図１１（ａ）は、第３板状体６３が抜けた状態を示している。このように第３板状体６３が抜けた場合、第２板状体６２と第４板状体６４の間に隙間ができるため積層できない。また、第２板状体６２が抜けた場合も同様に、第１板状体６１と第３板状体６３の間に隙間ができる。第１板状体６１が抜けた場合には、中空積層構造体１０４の最表面に第２板状体６２の第２凸部６２ａが突出するため、凸部の高さの違いで不良品であることがわかる。また、第４板状体６４が抜けた場合には、中空積層構造体１０４全体の厚さが正常な場合よりも小さくなるため、積層抜けを抽出できる。
【００７８】
また、図１１（ｂ）は、第２板状体６２と第３板状体６３の積層順序が逆になった状態を示している。このように積層順序が逆になった場合や、同じ板状体を重複して積層した場合には、凸部が凹部に挿し込めないため不良品であることがわかる。
【００７９】
なお、本実施の形態７では、挿し込み構造の形状例として、円柱状の凸部とこれをくり貫いた凹部を用いたが、挿し込み構造の形状はこれに限定されるものではなく、四角柱状や多角柱状でもよい。また、凸部には、突出方向側の端部を塞ぐ頂部を設けなくてもよい。さらに、挿し込み構造を有する各板状体は、プレス加工、切削加工、エッチングおよび射出成形のいずれの手段により作製されたものであってもよい。
【００８０】
以上のように、本実施の形態７に係る中空積層構造体１０４によれば、所定の順序で積層したときのみ互いに嵌合する凸部と凹部からなる挿し込み構造を有することにより、各板状体の積層順序、裏表方向、板状体面内における上下左右方向、および積層する板状体の重複や抜けを容易に確認でき、それらに起因する不良品を容易且つ迅速に抽出することが可能である。従って、この中空積層構造体１０４をアンテナ、導波管、車載用電波レーダ等に用いることにより、組み立て作業の効率化および歩留まり向上等の効果を奏する。
【００８１】
さらに、本実施の形態７における挿し込み構造は、上記実施の形態１〜実施の形態３における嵌め込み構造Ａ、および上記実施の形態４〜実施の形態６における嵌め込み構造Ｂよりもスペースをとらないという利点がある。
【００８２】
実施の形態８．
図１２は、本発明の実施の形態８に係る中空積層構造体を示す図である。本実施の形態８に係る中空積層構造体が有する挿し込み構造は、上記実施の形態７で説明したものと基本的な構成は同じであるので、詳細な説明は省略する。ただし、本実施の形態８に係る中空積層構造体の第１板状体７１は第１凸部を有しておらず、第１凹部７１ｂの深さ寸法は、第１板状体７１の板厚より小さく設定されている。このため、中空積層構造体の最表面となる第１板状体７１の表面からは何も突出していない。
【００８３】
具体的には、図１２に示すように、第１板状体７１は、第２板状体７２側に開口した第１凹部７１ｂを有している。また、第２板状体７２は、第１板状体７１の方向に突出し、第１板状体７１が有する第１凹部７１ｂに嵌合する第２凸部７２ａを有するとともに、第２凸部７２ａの内部がくり貫かれてなる第２凹部７２ｂを有している。この第２凹部７２ｂは、第３板状体７３側に開口している。
【００８４】
また、第３板状体７３は、第２板状体７２の方向に突出し、第２板状体７２が有する第２凹部７２ｂに嵌合する第３凸部７３ａを有するとともに、第３凸部７３ａの内部がくり貫かれてなる第３凹部７３ｂを有している。この第３凹部７３ｂは、第４板状体７４側に開口している。さらに、第４板状体７４は、第３板状体７３の方向に突出し、第３板状体７３が有する第３凹部７３ｂに嵌合する第４凸部７４ａを有する。
【００８５】
本実施の形態８における挿し込み構造においても、上記実施の形態７と同様に、各板状体の積層順序、裏表方向、板状体面内における上下左右方向、および積層する板状体の重複や抜けを容易に確認できる。なお、本実施の形態８では、第１板状体７１が抜けた状態のとき、第２板状体７２が中空積層構造体の最表面となり凸部７２ａが突出するため、不良品であることがわかる。
【００８６】
本実施の形態８によれば、上記実施の形態７と同様の効果に加え、中空積層構造体の最表面から凸部が突出しておらず、最表面に凹部もないため、アダプタ等の部品に組み付け易く、アンテナとして使用する場合には電波特性に影響を与えないという効果を奏する。
【００８７】
実施の形態９．
図１３は、本発明の実施の形態９に係る中空積層構造体を示す図である。本実施の形態９に係る中空積層構造体が有する挿し込み構造は、上記実施の形態７で説明したものと基本的な構成は同じであるので、詳細な説明は省略する。ただし、本実施の形態９に係る中空積層構造体は、挿し込み構造を複数有しており、それら複数の挿し込み構造は凸部の突出方向が逆向きのものを含んでいる。
【００８８】
具体的には、図１３に示すように、１つめの挿し込み構造（図中右側）においては、第１板状体８１は、第２板状体８２側に開口した第１凹部８１１ｂを有している。また、第２板状体８２は、第１板状体８１の方向に突出し、第１板状体８１が有する第１凹部８１１ｂに嵌合する第２凸部８２１ａを有するとともに、この第２凸部８２１ａの内部がくり貫かれてなる第２凹部８２１ｂを有している。
【００８９】
また、第３板状体８３は、第２板状体８２の方向に突出し、第２板状体８２が有する第２凹部８２１ｂに嵌合する第３凸部８３１ａを有するとともに、第３凸部８３１ａの内部がくり貫かれてなる第３凹部８３１ｂを有している。さらに、第４板状体８４は、第３板状体８３の方向に突出し、第３板状体８３が有する第３凹部８３１ｂに嵌合する第４凸部８４１ａを有する。
【００９０】
また、２つめの挿し込み構造（図中左側）においては、凸部の方向が逆向きであるため、第４板状体８４から順に説明する。第４板状体８４は、第３板状体８３側に開口した第１凹部８４２ｂを有している。また、第３板状体８３は、第４板状体８４の方向に突出し、第４板状体８４が有する第１凹部８４２ｂに嵌合する第２凸部８３２ａを有するとともに、この第２凸部８３２ａの内部がくり貫かれてなる第２凹部８３２ｂを有している。
【００９１】
また、第２板状体８２は、第３板状体８３の方向に突出し、第３板状体８３が有する第２凹部８３２ｂに嵌合する第３凸部８２２ａを有するとともに、第３凸部８２２ａの内部がくり貫かれてなる第３凹部８２２ｂを有している。さらに、第１板状体８１は、第２板状体８２の方向に突出し、第２板状体８２が有する第３凹部８２２ｂに嵌合する第４凸部８１２ａを有する。
【００９２】
本実施の形態９における挿し込み構造においても、上記実施の形態７と同様に、各板状体の積層順序、裏表方向、板状体面内における上下左右方向、および積層する板状体の重複や抜けを容易に確認できる。なお、本実施の形態９では、第１板状体８１または第４板状体８４が抜けた状態のとき、第２板状体８２の第２凸部８２１ａ、または第３板状体８３の第２凸部８３２ａが中空積層構造体の最表面から突出するため、不良品であることがわかる。
【００９３】
本実施の形態９によれば、上記実施の形態７と同様の効果に加え、挿し込み構造を複数有しているので、より確実で外れ難い挿し込みが可能となり信頼性が向上する。
【００９４】
実施の形態１０．
図１４は、本発明の実施の形態１０に係る中空積層構造体を示す図である。本実施の形態１０に係る中空積層構造体が有する挿し込み構造は、上記実施の形態７で説明したものと基本的な構成は同じであるので、詳細な説明は省略する。ただし、本実施の形態１０における挿し込み構造の各凸部は筒状体で構成され、これらの筒状体はその両端部が貫通している。
【００９５】
具体的には、図１４（ａ）に示すように、第１板状体９１は、積層方向に貫通した第１凹部９１ｂを有している。また、第２板状体９２は、第１板状体９１の方向に突出し、第１板状体９１が有する第１凹部９１ｂに嵌合する第２凸部９２ａを有するとともに、第２凸部９２ａの内部がくり貫かれてなる積層方向に貫通した第２凹部９２ｂを有している。また、第３板状体９３は、第２板状体９２の方向に突出し、第２板状体９２が有する第２凹部９２ｂに嵌合する第３凸部９３ａを有するとともに、第３凸部９３ａの内部がくり貫かれてなる積層方向に貫通した第３凹部９３ｂを有している。
【００９６】
さらに、第４板状体９４は、第３板状体９３の方向に突出し、第３板状体９３が有する第３凹部９３ｂに嵌合する第４凸部９４ａを有する。この第４凸部９４ａの内部がくり貫かれてなる第４凹部９４ｂは、積層方向に貫通している。これらすべての凸部は、筒状体の突出方向側の端部が、中空積層構造体の最表面である第１板状体９１の表面と同じ面位置にある。
【００９７】
本実施の形態１０における挿し込み構造においても、上記実施の形態７と同様に、各板状体の積層順序、裏表方向、板状体面内における上下左右方向、および積層する板状体の重複や抜けを容易に確認できる。図１４（ｂ）は、第３板状体９３が抜けた状態を示している。このように第３板状体９３が抜けた場合、第４板状体９４の第４凸部９４ａが中空積層構造体の最表面から突出するため、不良品であることがわかる。
【００９８】
また、第１板状体９１、第２板状体９２が抜けた場合も同様に、第４板状体９４の第４凸部９４ａが中空積層構造体の最表面から突出するため、不良品であることがわかる。なお、どの板状体が抜けているかは、中空積層構造体の表面にできた隙間の位置から判断することができる。例えば図１４（ｂ）に示す例では、第２凹部９２ｂと第４凸部９４ａとの隙間が通常より大きいため、第３凸部がないことがわかり、第３板状体９３の抜けが抽出できる。
【００９９】
本実施の形態１０によれば、上記実施の形態７と同様の効果に加え、挿し込み構造の凸部と凹部が積層方向に貫通しており、凸部の突出方向側の端部が中空積層構造体の最表面と同じ面位置にあるため、アダプタ等に組み付けるときの位置決め穴や固定用穴として利用することができる。
【０１００】
実施の形態１１．
図１５は、本発明の実施の形態１１に係る中空積層構造体を示す図である。本実施の形態１１に係る中空積層構造体１０５が有する挿し込み構造は、上記実施の形態７で説明したものと基本的な構成は同じであるので、詳細な説明は省略する。ただし、中空積層構造体１０５における挿し込み構造は、所定の順序で積層されたｎ枚の板状体を、その積層順に１枚目、・・ｍ枚目・・、ｎ枚目の板状体としたとき（ｍ、ｎは整数、１＜ｍ＜ｎ、３≦ｎ）、各凸部は筒状体で構成され、そのうち第ｍ凸部は、筒状体の両端部が貫通しており、また、第ｎ凸部は、筒状体の突出方向側の端部を塞ぐ頂部を有し、この頂部が１枚目の板状体表面と同じ面位置である。
【０１０１】
具体的には、図１５（ｂ）に示すように、第１板状体１０１は、積層方向に貫通した第１凹部１０１ｂを有している。また、第２板状体１０２は、第１板状体１０１の方向に突出し、第１板状体１０１が有する第１凹部１０１ｂに嵌合する第２凸部１０２ａを有するとともに、第２凸部１０２ａの内部がくり貫かれてなる積層方向に貫通した第２凹部１０２ｂを有している。また、第３板状体１０３は、第２板状体１０２の方向に突出し、第２板状体１０２が有する第２凹部１０２ｂに嵌合する第３凸部１０３ａを有するとともに、第３凸部１０３ａの内部がくり貫かれてなる積層方向に貫通した第３凹部１０３ｂを有している。
【０１０２】
さらに、第４板状体１０４は、第３板状体１０３の方向に突出し、第３板状体１０３が有する第３凹部１０３ｂに嵌合する第４凸部１０４ａを有する。この第４凸部１０４ａは、その突出方向側の端部を塞ぐ頂部を有しており、この頂部が中空積層構造体１０５の最表面となる第１板状体１０１の表面と同じ面位置にある。
【０１０３】
本実施の形態１１によれば、上記実施の形態７と同様の効果に加え、中空積層構造体１０５の最表面から凸部が突出しておらず、最表面に穴部もないため、アダプタ等の部品に組み付け易く、アンテナとして使用する場合には電波特性に影響を与えないという効果を奏する。
【０１０４】
なお、本発明は、その発明の範囲内において、各実施の形態を自由に組み合わせたり、各実施の形態を適宜、変形、省略したりすることが可能である。
【産業上の利用可能性】
【０１０５】
本発明は、所定の順序で積層することにより任意の中空構造を実現し、アンテナ、導波管、車載用電波レーダ等に用いられる積層構造体として利用することができる。
【符号の説明】
【０１０６】
１、１１、２１、３１、４１、５１、６１、７１、８１、９１、１０１  第１板状体、２、１２、２２、３２、４２、５２、６２、７２、８２、９２、１０２  第２板状体、
３、１３、２３、３３、４３、５３、６３、７３、８３、９３、１０３  第３板状体、
４、１４、２４、３４、４４、５４、６４、７４、８４、９４、１０４  第４板状体、
１ａ、３１ａ  第１突起部
２ａ、１２ａ、２２ａ、３２ａ  第２突起部
３ａ、１３ａ、２３ａ、３３ａ  第３突起部
４ａ、１４ａ、２４ａ、３４ａ  第４突起部
１ｂ、１１ｂ、２１ｂ、３１１ｂ、３１２ｂ、３１３ｂ、４１１ｂ、４１２ｂ、
４１３ｂ、５１１ｂ、５１２ｂ、５１３ｂ  第１穴部、
２ｂ、１２ｂ、２２ｂ、３２２ｂ、３２３ｂ、４２２ｂ、４２３ｂ、５２２ｂ、
５２３ｂ  第２穴部、３ｂ、１３ｂ、２３ｂ、３３３ｂ  第３穴部、４ｂ  第４穴部、
６１ａ  第１凸部、
６２ａ、７２ａ、８２１ａ、８３２ａ、９２ａ、１０２ａ  第２凸部、
６３ａ、７３ａ、８２２ａ、８３１ａ、９３ａ、１０３ａ  第３凸部、
６４ａ、７４ａ、８１２ａ、８４１ａ、９４ａ、１０４ａ  第４凸部、
６１ｂ、７１ｂ、８１１ｂ、８４２ｂ、９１ｂ、１０１ｂ  第１凹部、
６２ｂ、７２ｂ、８２１ｂ、８３２ｂ、９２ｂ、１０２ｂ  第２凹部、
６３ｂ、７３ｂ、８２２ｂ、８３１ｂ、９３ｂ、１０３ｂ  第３凹部、
６４ｂ、７４ｂ、８１２ｂ、８４１ｂ、９４ｂ、１０４ｂ  第４凹部、
１００、１０１、１０２、１０３、１０４、１０５  中空積層構造体。
【図１】
0005542895.tif 000002
【図２】
0005542895.tif 000003
【図３】
0005542895.tif 000004
【図４】
0005542895.tif 000005
【図５】
0005542895.tif 000006
【図６】
0005542895.tif 000007
【図７】
0005542895.tif 000008
【図８】
0005542895.tif 000009
【図９】
0005542895.tif 000010
【図１０】
0005542895.tif 000011
【図１１】
0005542895.tif 000012
【図１２】
0005542895.tif 000013
【図１３】
0005542895.tif 000014
【図１４】
0005542895.tif 000015
【図１５】
0005542895.tif 000016